(57)【要約】【課題】  拡張型字幕ファイルを用いて付加情報を提供する装置及び方法を提供する。【解決手段】データ入力部を通じて入力されたマルチメディアファイルから映像及び音声データを分離する逆多重化部と、データ入力部を通じて入力された字幕データファイル及び付加情報データファイルをパージングするＸＭＬパーザと、逆多重化部から入力された映像及び音声データを復号化し、復号化された映像データ及び音声データを所定の映像及び音声信号に変換する映像／音声データ処理部と、ＸＭＬパーザからパージングされて入力された字幕データファイルを処理する字幕処理部と、ＸＭＬパーザからパージングされて入力された付加情報データファイルを処理し、処理された付加情報に基づいてユーザインターフェース情報を生成する付加情報処理部と、処理された映像、音声、字幕及びユーザインターフェース情報を出力するデータ出力部とを備える。【選択図】      図３
2006333460.tif 000002
【特許請求の範囲】
【請求項１】
データ入力部を通じて入力されたマルチメディアファイルで映像及び音声データを分離する逆多重化部と、
前記データ入力部を通じて入力された字幕データファイル及び付加情報データファイルをパージングするＸＭＬパーザと、
前記逆多重化部から入力された映像及び音声データを復号化し、前記復号化された映像データ及び音声データを所定の映像及び音声信号に変換する映像／音声データ処理部と、
前記ＸＭＬパーザからパージングされて入力された字幕データを処理する字幕処理部と、
前記ＸＭＬパーザからパージングされて入力された付加情報データを処理し、前記処理された付加情報に基づいてユーザインターフェース情報を生成する付加情報処理部と、
前記処理された映像、音声、字幕及びユーザインターフェース情報を出力するデータ出力部と、を備える拡張型字幕ファイルを用いて付加情報を提供する装置。
【請求項２】
前記データ出力部は、前記付加情報データに高い順位の優先順位値を設定して、前記付加情報データの出力時に画面の上位レイヤに位置させる請求項１に記載の拡張型字幕ファイルを用いて付加情報を提供する装置。
【請求項３】
前記付加情報データは、映像、音声、または字幕情報を含む請求項１に記載の拡張型字幕ファイルを用いて付加情報を提供する装置。
【請求項４】
マルチメディアデータ、字幕データ及び付加情報データを入力される装置において、
前記入力された字幕データ及び付加情報データをパージングする段階と、
前記パージングされた付加データを処理してユーザインターフェース情報を生成する段階と、
前記マルチメディアデータ、前記字幕データ、及び前記ユーザインターフェース情報を同期化して出力する段階と、を含む拡張型字幕ファイルを用いて付加情報を提供する方法。
【請求項５】
前記マルチメディアデータ、字幕データ、及びユーザインターフェース情報についての優先順位を設定する段階と、
前記設定された優先順位に基づいて画面にディスプレイする段階と、をさらに含む請求項４に記載の拡張型字幕ファイルを用いて付加情報を提供する方法。
【請求項６】
前記ユーザインターフェース情報に高い順位の優先順位値を設定し、前記ユーザインターフェース情報を画面の上位レイヤに位置させる請求項５に記載の拡張型字幕ファイルを用いて付加情報を提供する方法。
【請求項７】
前記ユーザインターフェース情報は、映像、音声、または字幕情報を含む請求項４に記載の拡張型字幕ファイルを用いて付加情報を提供する方法。
【発明の詳細な説明】
【技術分野】
【０００１】
本発明は、拡張型字幕ファイルを用いて付加情報を提供する装置及び方法に係り、より詳細には、同期式字幕ファイルに映像及び字幕についての付加情報を追加して、さらに多くの付加情報をユーザに提供する拡張型字幕ファイルを用いて付加情報を提供する装置及び方法に関する。
【背景技術】
【０００２】
従来のテキスト基盤の字幕技術には、マイクロソフト社のＳＡＭＩ（Ｓｙｎｃｈｒｏｎｉｚｅｄ  Ａｃｃｅｓｓｉｂｌｅ  Ｍｅｄｉａ  Ｉｎｔｅｒｃｈａｎｇｅ）技術やリアルネットワーク社のＲｅａｌ−ｔｅｘｔ技術などがある。
【０００３】
従来のテキスト基盤の字幕技術は、ビデオストリームデータが記録されたファイルまたはネットワーク上で提供されるビデオストリームデータに対して同期時間情報を基準に字幕を出力させる構造を有する。
【０００４】
図１は、一般的なＳＡＭＩ形式の字幕ファイル及びパージングされた字幕情報を示す図面である。ここで、ＳＡＭＩでスクリプトを作成する場合、製作が簡単かつ取り扱いしやすいという長所がある。
【０００５】
示されたように、ＳＡＭＩで作成されたファイルの字幕出力処理方式は、基本的にＸＭＬ形式の字幕言語とそれを解釈するためのパーザ（Ｐａｒｓｅｒ）の定義と構成される。ここで、字幕言語は、フレーム位置を示すタイムシンクと言語別字幕内容、そして必要によってフォントサイズまたは色相などの情報を含んでいる。
【０００６】
テキスト基盤字幕を再生する再生装置の動作を説明すれば、字幕処理部で読込んだ字幕ファイルを、自体ＸＭＬパーザを通じてタイムシンク（フレーム位置）とテキスト（台詞）とに分離／抽出して、メモリに保管し、フレーム単位の映像出力時に該当フレーム位置の字幕テキストを確認して、映像データと同期化した後、出力する。
【０００７】
例えば、ＸＭＬパーザが字幕ファイルをパージングした結果、タイムシンク‘１０００’に英語台詞（Ｏｎｅ）またはフランス語台詞（Ｕｎ）が位置し、タイムシンク‘２０００’に英語台詞（Ｔｗｏ）またはフランス語台詞（Ｄｅｕｘ）が位置せねばならないという情報を抽出する。次いで、ＸＭＬパーからは該当タイムシンク時にパージングされたデータを映像データと同期化して出力させる。
【０００８】
図２は、従来の字幕言語を処理し、映像データと字幕テキストとを同期化して出力した画面を示す図面である。
【０００９】
示されたように、テキスト基盤字幕を再生する再生装置は、動画像ストリームデータと字幕データとを読み込んで、動画像を再生しつつ、指示された時間、及び画面に指示された位置で字幕データを出力する。
【００１０】
しかし、既存の字幕言語は、ＨＴＭＬタグのごく一部のみを含んでいる程度で、字幕以外の他の情報（例えば、字幕についての付加情報）は表現し難いという問題点があり、ユーザに情報が伝えられる方式がスクリプト形態の出力だけなので、映像と同期化された字幕を介した多様な付加情報の提供が制限的であるという問題点がある。
【００１１】
特許文献１は、動画像の内容を要約したキーフレーム（代表イメージ）と共に、ビデオ内に含まれている場所、音楽、人物、商品などの各種付加情報をビデオメタデータに保存して、ビデオ再生時に、ビデオメタデータに保存されている各種の付加情報がビデオ再生タイムと自動で同期化されて、ビデオ再生タイムに該当する各種の付加情報を表示した方法を開示しているが、これはインターネット上でＶＯＤ（ビデオオンデマンド）のサービス時に、ビデオの再生と同時に、ビデオに含まれた各種の付加情報を共にサービスするものであって、一般的なＳＡＭＩファイルに所定の付加情報を含んでディスプレイする技術については言及していない。
【特許文献１】韓国公開特許第２００４−０３３７６６号公報
【発明の開示】
【発明が解決しようとする課題】
【００１２】
本発明は、同期式字幕ファイルに映像及び字幕についての付加情報を追加して、追加された付加情報を映像及び字幕データと同期化して出力することによって、さらに多くの付加情報をユーザに提供するところにその目的がある。
【００１３】
本発明の他の目的は、拡張型字幕ファイルに含まれた付加情報データを処理する付加情報処理部を通じて同期式字幕言語の柔軟な拡張を提示することである。
【００１４】
本発明の目的は、以上で言及した目的に制限されず、言及されていない他の目的は下の記載から当業者に明確に理解されうる。
【課題を解決するための手段】
【００１５】
前記目的を達成するための本発明の一実施形態による拡張型字幕ファイルを用いて付加情報を提供する装置は、データ入力部を通じて入力されたマルチメディアファイルから映像及び音声データを分離する逆多重化部と、前記データ入力部を通じて入力された字幕データファイル及び付加情報データファイルをパージングするＸＭＬパーザと、前記逆多重化部から入力された映像及び音声データを復号化し、前記復号化された映像データ及び音声データを所定の映像及び音声信号に変換する映像／音声データ処理部と、前記ＸＭＬパーザからパージングされて入力された字幕データファイルを処理する字幕処理部と、前記ＸＭＬパーザからパージングされて入力された付加情報データファイルを処理し、前記処理された付加情報に基づいてユーザインターフェース情報を生成する付加情報処理部と、前記処理された映像、音声、字幕及びユーザインターフェース情報を出力するデータ出力部と、を備える。
【００１６】
また、本発明の他の実施形態による拡張型字幕ファイルを用いて付加情報を提供する方法は、マルチメディアデータ、字幕データ及び付加情報データを入力される装置において、前記入力された字幕データ及び付加情報データをパージングする段階と、前記パージングされた付加データを処理してユーザインターフェース情報を生成する段階と、前記マルチメディアデータ、前記字幕データ、及び前記ユーザインターフェース情報を同期化して出力する段階と、を含む。
【００１７】
その他の実施例の具体的な事項は詳細な説明及び図面に含まれている。
【発明の効果】
【００１８】
本発明の拡張型字幕ファイルを用いて付加情報を提供する装置及び方法によれば、次のような効果が１つあるいはそれ以上ある。
【００１９】
一般的な同期式字幕ファイルに映像及び字幕についての付加情報を追加し、追加された付加情報を画面に同期化して提供することによって、ユーザにより多くの付加情報を提供しうる。また、一般的な同期式字幕ファイルに映像及び字幕についての付加情報を追加することによって、字幕言語の柔軟な拡張及び多様なユーザインターフェースを提供しうる。
【発明を実施するための最良の形態】
【００２０】
本発明の利点及び特徴、そしてこれを達成する方法は添付された図面に基づいて詳細に後述されている実施例を参照すれば明確になる。しかし、本発明は以下で開示される実施例に限定されるものではなく、この実施例から外れて多様な形に具現でき、本明細書で説明する実施例は本発明の開示を完全にし、本発明が属する技術分野で当業者に発明の範ちゅうを完全に報せるために提供されるものであり、本発明は請求項及び発明の詳細な説明により定義されるだけである。一方、明細書全体に亙って同一な参照符号は同一な構成要素を示す。
【００２１】
以下、添付された図面を参照して本発明の望ましい実施形態を詳細に説明する。
【００２２】
図３は、本発明の一実施形態による拡張型字幕ファイルを用いて付加情報を提供する装置を示す内部ブロック図である。ここで、付加情報を提供する装置は、メディアプレーヤーを備えうる。
【００２３】
示されたように、拡張型字幕ファイルを用いて付加情報を提供する装置は、データ入力部１００、データ処理部２００、及びデータ出力部３００を含んで構成される。ここで、拡張型字幕ファイルは、フレーム位置を示すタイムシンクと、言語別字幕内容、及び必要によって出力する字幕のフォントサイズまたは色相などの情報を含んでおり、また映像及び字幕についての付加情報を含む。
【００２４】
また、データ入力部１００は、マルチメディアファイル（映像、音声データ）、字幕データファイル、及び付加情報データファイルを入力され、データ処理部２００は、逆多重化部２１０、映像データ処理部２２０、音声データ処理部２３０、字幕処理部２４０、ＸＭＬパーザ２５０、及び付加情報データ処理部２６０を含んで構成され、データ出力部３００は映像出力部３１０、音声出力部３２０を含んで構成される。
【００２５】
逆多重化部２１０は、データ入力部１００を通じて入力されたマルチメディアファイルから映像データ及び音声データを分離し、分離された映像データ及び音声データを映像データ処理部２２０及び音声データ処理部２３０に伝送する。映像データ処理部２２０は、逆多重化部２１０から入力された映像データを復号化するビデオデコーダ２２１と、ビデオデコーダ２２１から入力された復号化された映像データを処理して所定の映像信号に変換するビデオレンダラー２２２を含んで構成される。
【００２６】
音声データ処理部２３０は、逆多重化部２１０から入力された音声データを復号化するオーディオデコーダ２３１と、オーディオデコーダ２３１から入力された復号化された音声データを処理して、所定の音声信号に変換するビデオレンダラー２２２を含んで構成される。
【００２７】
ＸＭＬパーザ２５０は、データ入力部１００から入力されたＸＭＬ文書（すなわち、字幕データ及び付加情報データ）をパージングし、パージングされた字幕データ及び付加情報データを字幕処理部２４０及び付加情報処理部２６０に伝送する。
【００２８】
字幕処理部２４０は、ＸＭＬパーザ２５０からパージングされた字幕データを処理する。また、字幕処理部２４０は、フレーム単位の映像出力時に該当フレーム位置に対する字幕データをチェックして、映像データと同期化されるように出力させる。
【００２９】
付加情報処理部２６０は、ＸＭＬパーザ２５０からパージングされた付加情報データを処理し、処理された付加情報に基づいて画面を通じて提供されるユーザインターフェース情報を生成する。ここで、付加情報データは、映像及び字幕についての付加説明を表す情報であって、タイムシンクによるキャラクターの種類、台詞、表情、出力時間、オーディオソース、及びリンクＵＲＬなどの情報を含む。また、ユーザインターフェース情報は、映像及び字幕についての付加情報を表す所定形状のキャラクターで理解されうる。すなわち、映像及び字幕が出力される所定フレームの置にキャラクターが同期化されてディスプレイされつつ、該当映像及び字幕についての付加説明を字幕または音声を通じて提供する。
【００３０】
映像出力部３１０は、ビデオ処理部２２０、字幕処理部２４０、及び付加情報処理部２６０から伝送された映像、字幕、及びユーザインターフェース情報をフレーム位置情報（すなわち、タイムシンク情報）によって出力する。
【００３１】
また、映像出力部３１０は、映像データ、字幕テキスト、及びユーザインターフェース情報に優先順位値を設定し、設定された優先順位によって各情報（すなわち、映像データ、字幕テキスト、及びユーザインターフェース情報）を画面上のレイヤに位置させる。
【００３２】
例えば、ユーザインターフェース情報、字幕、及び映像などの順に高い優先順位値を設定する。これにより、画面の下位レイヤに、優先順位の最も低い映像データがディスプレイされ、その次のレイヤに字幕テキストがディスプレイされ、画面の最も上位レイヤにユーザインターフェース情報を位置させて、ディスプレイされた付加情報（例えば、キャラクター）が映像データ及び字幕テキストによって隠されないようにする。
【００３３】
音声出力部３２０は、オーディオ処理部２３０、及び付加情報処理部２６０から伝送された音声情報を映像と同期化して出力する。
【００３４】
一方、付加情報を提供する装置は、映像データ処理部２２０、音声データ処理部２３０、字幕処理部２４０、及び付加情報処理部２６０を通じて処理されたデータ（すなわち、ユーザインターフェース情報、字幕、及び映像／音声など）が同期化されて出力されるように（すなわち、設定された該当タイムシンクによって出力されるように）、時間フィールドをミリ秒（ｍｓｅｃ）単位で提供するタイムスタンプ（ｔｉｍｅｓｔａｍｐ）（図示せず）をさらに含む。ここで、タイムスタンプは、データ出力部３００に位置されうる。
【００３５】
図４は、本発明の他の実施形態による拡張型字幕ファイル及びパージングされた字幕情報及び付加情報を示す図面である。
【００３６】
示されたように、拡張型字幕ファイル１０には、フレーム位置を示すタイムシンク１１、言語別字幕内容１２、及び映像及び字幕についての付加情報１３を含む。
【００３７】
すなわち、拡張型字幕ファイル１０にタイムシンクが‘１０００’である時、画面にディスプレイされる字幕情報（例えば、英語字幕（すなわち、Ｏｎｅ）またはフランス語字幕（すなわち、Ｕｎ））１２が記録されている。
【００３８】
また、タイムシンクが‘２０００’である時、字幕情報（例えば、英語字幕（すなわち、Ｔｗｏ）またはフランス語字幕（すなわち、Ｄｅｕｘ））１２と、付加情報（例えば、キャラクター情報（すなわち、Ｂｏｙ）、キャラクターについての字幕情報（すなわち、Ｔｈｅｒｅ  ｉｓ  ａ  ｎｅｗ  ａｒｒｉｖａｌ）、キャラクターの表情情報（すなわち、Ｓｍｉｌｅ）、キャラクターが画面で消える時間情報（すなわち、５秒）、キャラクターの音声情報（すなわち、Ｈｅｌｌｏ）及びキャラクターにリンクされている情報（すなわち、ｈｔｔｐ：／／ｗｗｗ．ｓａｍｓｕｎｇ．ｃｏｍ））１３が記録されている。
【００３９】
拡張型字幕ファイルをパージングする過程を説明すれば、次の通りである。まず、データ入力部１００から拡張型字幕ファイル１０が入力されれば、ＸＭＬパーザ２５０は、入力された拡張型字幕ファイル１０をパージングする。すなわち、拡張型字幕ファイルに含まれた字幕データと付加情報データとを分離及び解釈した後、解釈された情報２０を字幕処理部２４０と付加情報処理部２５０とに伝送する。
【００４０】
次いで、付加情報処理部２５０は、ＸＭＬパーザ２５０から入力された付加情報を処理してユーザインターフェース情報を生成し、生成されたユーザインターフェース情報（例えば、キャラクター）を映像出力部３１０に伝送して画面に出力させる。
【００４１】
したがって、該当フレーム位置に映像及び字幕と共に付加情報を説明するキャラクターが登場して、さらに多くの情報をユーザに提供する。
【００４２】
図５は、本発明のさらに他の実施形態による拡張型字幕ファイルを用いて付加情報を提供する装置を通じて出力される画面を示す図面である。
【００４３】
まず、データ入力部１００から入力された字幕ファイルをＸＭＬパーザ２５０でパージングしてタイムシンク（すなわち、フレーム位置）、台詞データ、及び付加情報データを分離／抽出した後、字幕処理部２４０及び付加情報処理部２６０を伝送する。ここで、付加情報処理部２６０は、パージングされて伝送された付加情報に基づいてユーザインターフェース情報（すなわち、キャラクター）を生成する。この際、付加情報に基づいて生成されたキャラクターには、キャラクター情報（性別、表情）、キャラクターの字幕情報、キャラクターの音声情報、及びリンクされている情報などが含まれている。
【００４４】
次いで、字幕処理部２４０は、フレーム単位の映像出力時、該当フレーム位置に対する字幕テキストを確認し、映像データと同期化して出力し、付加情報処理部２６０は、該当フレーム位置についてのユーザインターフェース情報を確認した後、映像及び字幕テキストと同期化して出力する。
【００４５】
すなわち、示されたように基本映像（例えば、キャラクター１、２、３）が画面に出力され、基本映像（すなわち、キャラクター１）に割当する字幕（ＴｏｗまたはＤｅｕｘ）及びそれに該当する音声が映像と同期化されて出力される。
【００４６】
これと同時に、付加情報を説明するキャラクター５が基本映像及び字幕テキストにオーバーラップされてディスプレイされ、キャラクター５に割当てられた字幕（Ｔｈｅｒｅ  ｉｓ  ａ  ｎｅｗ  ａｒｒｉｖａｌ）及び音声（Ｈｅｌｌｏ）がキャラクター５と同期化されて出力される。ここで、キャラクター５は、拡張型字幕ファイル１０に記録された情報によって笑顔を有するキャラクター形状であり、５秒後に自動で消えるように定義されている。また、キャラクター５は、所定のサイトと連結されたリンク情報を有しているので、ユーザのキャラクター５の選択時に該当サイトに移動しうる。
【００４７】
図６は、本発明のさらに他の実施形態による拡張型字幕ファイルを用いて付加情報を提供する方法を示すフローチャートである。
【００４８】
まず、データ入力部１００を通じてマルチメディアファイル及び拡張型字幕ファイルが入力されれば（Ｓ２００）、入力されたマルチメディアファイルは、逆多重化部２１０を通じて映像及び音声データに分離され、拡張型字幕ファイルは、ＸＭＬパーザ２５０を通じて字幕データ及び付加情報データに分離及び抽出される（Ｓ２１０）。ここで、拡張型字幕ファイルは、フレーム位置を示すタイムシンクと、言語別字幕内容、及び必要によって出力する字幕のフォントサイズまたは色相などの情報を含んでおり、また映像及び字幕についての付加情報を含む。
【００４９】
次いで、逆多重化部２１０を通じて分離された映像データは、ビデオ処理部２２０に入力されてビデオデコーダ２２１を通じて復号化され（Ｓ２１１）、復号化された映像デーをビデオレンダラー２２２が所定の映像信号に変換する。また、音声データは、オーディオ処理部２３０に入力されてオーディオデコーダ２３１を通じて復号化され、復号化された音声データをオーディオレンダラー２３２が所定の音声信号に変換する（Ｓ２１２）。
【００５０】
次いで、ＸＭＬパーザ２５０を通じてパージングされて分離された字幕データは、字幕処理部２４０に入力されて処理され（Ｓ２１３、Ｓ２１４）、パージングされた付加情報データは、付加情報処理部２６０に入力されて処理される（Ｓ２１５）。
【００５１】
すなわち、付加情報処理部２６０は、パージングされた付加情報データを処理してユーザインターフェース情報を生成する。ここで、ユーザインターフェース情報は、入力された付加情報データに基づいて映像及び字幕についての付加説明を行うキャラクターであると理解されうる。また、前記キャラクターは、台詞、表情、出力時間、オーディオソース、及びリンクＵＲＬなどの情報を含む。
【００５２】
次いで、処理されたデータ（ユーザインターフェース情報、字幕データ、及び映像／音声データ）をデータ出力部３００に伝送すれば（Ｓ２２０）、データ出力部３００内の映像出力部３１０は、伝送されたユーザインターフェース情報、字幕データ、及び映像データについての優先順位を設定する（Ｓ２３０）。ここで、優先順位は、インターフェース情報、字幕データ、及び映像データが面に位置する順序であって、優先順位が高いほど画面の上位レイヤに位置する。
【００５３】
例えば、映像出力部３１０は、ユーザインターフェース情報に高い順位の優先順位値を設定し、ユーザインターフェース情報を出力する時、他のデータ（映像または字幕）より画面の上位レイヤに位置させる。
【００５４】
次いで、タイムスタンプを通じて同じタイムシンクに該当する映像、字幕及びユーザインターフェース情報（すなわち、キャラクター）が画面に出力される（Ｓ２４０）。この際、画面に出力されるデータは設定された優先順位によって画面にディスプレイされる。例えば、映像、字幕、及びユーザインターフェース情報順に優先順位値が設定されて画面上の最も上位レイヤにはユーザインターフェース情報（すなわち、キャラクター）が位置する。
【００５５】
したがって、画面に映像、字幕、及び付加情報を提供するキャラクターが同期化されて出力され、また所定の音声出力機器を通じて該当音声が同期化されて出力される。ここで、キャラクターは、映像及び字幕についての付加説明を字幕を通じて提供し、所定の音声を出力することもある。また、キャラクターは、所定サイトと連結されたリンク情報を有しており、ユーザのキャラクター選択時に該当サイトに移動する。
【００５６】
これにより、ユーザの所定動画像の視聴時に、該当動画像ファイルについての付加情報を画面上に同期化して提供することによって、さらに多くの付加情報をユーザに提供しうる。
【００５７】
以上、添付図を参照して本発明の実施例を説明したが、  本発明が属する技術分野で当業者ならば本発明がその技術的思想や必須特徴を変更せずとも他の具体的な形に実施されうるということが理解できるであろう。したがって、前述した実施例は全ての面で例示的なものであって、限定的なものではないと理解せねばならない。
【産業上の利用可能性】
【００５８】
本発明は、拡張型字幕ファイルを用いて付加情報を提供する装置及び方法に関連した技術分野に好適に適用されうる。
【図面の簡単な説明】
【００５９】
【図１】一般的なＳＡＭＩ形式の字幕ファイル及びパージングされた字幕情報を示す図である。
【図２】従来の字幕言語を処理し、映像データと字幕テキストとを同期化して出力することを示す図である。
【図３】本発明の一実施形態による拡張型字幕ファイルを用いて付加情報を提供する装置を示す内部ブロック図である。
【図４】本発明の他の実施形態による拡張型字幕ファイル及びパージングされた字幕情報及び付加情報を示す図である。
【図５】本発明のさらに他の実施形態による拡張型字幕ファイルを用いて付加情報を提供する装置を通じて出力される画面を示す図である。
【図６】本発明のさらに他の実施形態による拡張型字幕ファイルを用いて付加情報を提供する方法を示すフローチャートである。
【符号の説明】
【００６０】
１００      データ入力部
２００      データ処理部
２１０      逆多重化部
２２０      映像データ処理部
２３０      音声データ処理部
２４０      字幕処理部
２５０      ＸＭＬパーザ
２６０      付加情報処理部
３００      データ出力部
【図１】
2006333460.tif 000003
【図２】
2006333460.tif 000004
【図３】
2006333460.tif 000005
【図４】
2006333460.tif 000006
【図５】
2006333460.tif 000007
【図６】
2006333460.tif 000008